【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
エンクロージャーアセンブリ（１）であり、ケーブル（１２）におけるとりわけ標準化された様々なコネクタ（４）の少なくとも１つのためのものであって、該エンクロージャーが、コネクタ容積部（７８）と、外側体（６８）とを含み、
コネクタ容積部（７８）が、該エンクロージャーの内側体（６２）内に位置し、コネクタ容積部（７８）が、コネクタ（４）を移動可能に収容するように適合されていて、内側体（６２）が、前方向および後方向（３２、４２）において、外側環境（９０）に開口していて、
外側体（６８）が、内側体（６２）上を前方向（４２）にスライドするように適合されており、
該外側体が、エンクロージャーアセンブリ（１）を嵌め合いエンクロージャーに固定するための少なくとも１つのロック要素（７０）を含み、
コネクタ容積部（７８）が、電磁気遮蔽構造（７４）内に位置していて、電磁気遮蔽構造（７４）が、内側体（６２）内に位置していることを特徴とする、エンクロージャーアセンブリ（１）。
【請求項２】
電磁気遮蔽構造（７４）が、内側体（６２）によって前方向（４２）にスライドするように少なくとも部分的に適合されていることを特徴とする、請求項１に記載のエンクロージャーアセンブリ（１）。
【請求項３】
電磁気遮蔽構造（７４）が、可動遮蔽サブ構造（４４）を含んでおり、該可動遮蔽サブ構造（４４）が、少なくとも、前方向（４２）への内側体（６２）の移動に関して、内側体（６２）によって保持されるように適合されていることを特徴とする、請求項１または２に記載のエンクロージャーアセンブリ（１）。
【請求項４】
電磁気遮蔽構造（７４）が、固定遮蔽サブ構造（２０）を含んでおり、該固定遮蔽サブ構造（２０）が、ケーブル（１２）および可動遮蔽サブ構造（４４）に固定されるように適合されており、該可動遮蔽サブ構造（４４）が、固定遮蔽サブ構造（２０）上を前方向にスライドするように適合されていることを特徴とする請求項１〜３のいずれか１項に記載のエンクロージャーアセンブリ（１）。
【請求項５】
固定および可動遮蔽サブ構造（２０、４４）が、前方向への内側体の移動の間に導電性のある状態で互いに自動的に接続されることを特徴とする請求項１〜４のいずれか１項に記載のエンクロージャーアセンブリ（１）。
【請求項６】
固定および可動遮蔽サブ構造（２０、４４）が、少なくとも１つの接触バネ（５６）により互いに接続されていることを特徴とする、請求項４または５に記載のエンクロージャーアセンブリ（１）。
【請求項７】
固定および可動遮蔽サブ構造（２０、４４）が、コネクタ容積部（７８）の後方領域（８１）において互いに接続されていることを特徴とする、請求項４〜６のいずれか１項に記載のエンクロージャーアセンブリ（１）。
【請求項８】
電磁気遮蔽構造（７４）が、コネクタ容積部（７８）の後方壁（８０）を形成していることを特徴とする、請求項１〜７のいずれか１項に記載のエンクロージャーアセンブリ（１）。
【請求項９】
電磁気遮蔽構造（７４）が、その前方末端において、少なくとも１つの接触バネ（５６）を含むことを特徴とする、請求項１〜８のいずれか１項に記載のエンクロージャーアセンブリ（１）。
【請求項１０】
複数の接触バネが、リング状形態で配置されていることを特徴とする、請求項６および９のいずれか１項に記載のエンクロージャーアセンブリ（１）。
【請求項１１】
電磁気遮蔽構造（７４）が、遮蔽フェルール（１６）を含んでおり、遮蔽フェルール（１６）が、その後方領域（３４）において、ケーブルシールド（２２、２６）と接触していることを特徴とする、請求項１〜１０のいずれか１項に記載のエンクロージャーアセンブリ（１）。
【請求項１２】
電磁気遮蔽構造（７４）が、遮蔽フェルール（１６）を含んでおり、遮蔽フェルール（１６）が、後方向（３２）にテーパーしていることを特徴とする、請求項１〜１１のいずれか１項に記載のエンクロージャーアセンブリ（１）。
【請求項１３】
電磁気遮蔽構造（７４）が、その後方領域（３４）において、ケーブルに固定されていることを特徴とする、請求項１〜１２のいずれか１項に記載のエンクロージャーアセンブリ（１）。
【請求項１４】
電磁気遮蔽構造（７４）が、遮蔽スリーブ（１２）を含んでおり、遮蔽スリーブ（１２）が、ケーブルシールド（２２、２６）上をスライドおよび接触するように適合されていることを特徴とする、請求項１〜１３のいずれか１項に記載のエンクロージャーアセンブリ（１）。
【請求項１５】
導電性要素が、遮蔽スリーブ（１２）と遮蔽フェルール（１６）との間に配置されていることを特徴とする、請求項１４に記載のエンクロージャーアセンブリ（１）。
【請求項１６】
軸合わせアダプタ（８８）が、コネクタ容積部（７８）内に保持されており、軸合わせアダプタ（８８）が、少なくとも１つのコネクタ（４）のための相補的受容部を備えることを特徴とする、とりわけ請求項１〜１５のいずれか１項に記載のエンクロージャーアセンブリ（１）。
【請求項１７】
軸合わせアダプタ（８８）が、前方向においてコネクタ容積部（７８）を閉じることを特徴とする、請求項１６に記載のエンクロージャーアセンブリ（１）。
【請求項１８】
ポットのような電磁気遮蔽構造（８４）を備えることを特徴とする請求項１〜１７のいずれか１項に記載のエンクロージャーアセンブリ（１）のためのキャップ（８２、８６）。
【手続補正２】
【補正対象書類名】明細書
【補正対象項目名】全文
【補正方法】変更
【補正の内容】
【発明の詳細な説明】
【発明の名称】ケーブルにおける少なくとも１つのとりわけ標準化されたコネクタのための遮蔽エンクロージャーアセンブリ
【技術分野】
【０００１】
本発明は、ケーブルにおけるとりわけ標準化（または規格化、standard）された様々なコネクタの少なくとも１つのためのエンクロージャーアセンブリ（または包囲アセンブリ、enclosure assembly）に関し、該エンクロージャーが、エンクロージャーアセンブリの内側体内に位置しているコネクタ容積部（またはコネクタ空間、connector volume）を含んでおり、コネクタ容積部が、コネクタを移動可能に収容するように適合されており、内側体が、外側環境に対して前方向および後方向に開口していて、外側体が、内側体上を前方向にスライドするように適合されており、外側体が、エンクロージャーアセンブリを嵌め合いエンクロージャーに前方向に固定するための少なくとも１つのロック要素を含む。
【背景技術】
【０００２】
このようなエンクロージャーアセンブリは、例えば、欧州特許出願第０９  ０１２  ２７０号および欧州特許出願第１０  ００１  １０３号から既知である。エンクロージャーアセンブリは、ＲＪ４５，ＨＳＩＯ，ＡＭＰＭＯＤＵ，ＨＤＭＩであってよい、好ましくは標準化されたコネクタまたは任意の他の標準化されたコネクタのまわりに保護シェルを構成している。コネクタ容積部は、いずれも、エンクロージャーアセンブリの内側体および／または外側体を変化させる必要なしに、並んだ配置における多数のコネクタのために、様々な寸法のコネクタを収容するのに充分大きい。従って、同じエンクロージャーアセンブリが異なるコネクタに用いられてよい。
【発明の概要】
【０００３】
コネクタ容積部は、移動可能な収容を可能にするのに充分な寸法であり、すなわち、コネクタは、コネクタ容積部内で自由に移動する。従って、コネクタ容積部内においてコネクタ位置が変化してよく、および誤差は、いずれのエンクロージャーアセンブリにおいても補える。いずれのコネクタも、それらのそれぞれのカウンターパートに安全に結合することができる。
【０００４】
充分な参照は、エンクロージャーアセンブリ、その要素、利点ならびに様々な実施形態および特徴に関して、欧州特許出願第０９  ０１２  ２７０号および欧州特許出願第１０  ００１  １０３号の完全な開示に対して、なされる。両方の出願は、参照によって本明細書に組み込まれる。
【０００５】
以下に、エンクロージャーアセンブリから見て、任意の嵌め合いエンクロージャーまたはケーブル末端の方向を向くこととして、エンクロージャーアセンブリについて方向「前方（forward）」が規定される。方向「後方（rearward）」は、反対方向、すなわち、任意の嵌め合いエンクロージャーと逆方向を向く方向を指定する。エンクロージャーアセンブリがケーブル上に取り付けられたまたは取り付けられる場合に、前方向および後方向はケーブルと平行になっている。
【０００６】
他のエンクロージャーは、例えば、米国特許第７，３３８，２１４号Ｂ１から既知である。この参照において、内側体はプラグ体として、および外側体はシェルとして配置されるように示されており、該外側体は、バイオネット式ロック領域を有している。プラグ体および嵌め合いエンクロージャー内において、標準化されたコネクタは、エンクロージャー内の所定位置に固定可能に取り付けられている。
【０００７】
米国特許第２００９／１７３５１８号Ａ１は、医療デバイスのためのストレインリリーフを示す。ストレインリリーフにおける戻り止め（detent）特徴が医療デバイスのフレームにおける相補的拘束特徴と係合するまで、ストレインリリーフをフレーム内にスライドさせることによって、ストレインリリーフを医療デバイスのフレームに固定できる。エクステンション（extension）は、ストレインリリーフを軸合わせするように、フレームの相補的フレームスロット内に挿入できる。エクステンションの外側形状およびストレインリリーフの外側形状は円錐形状にされており、およびフレームの円錐内側形状と適合する。
【０００８】
米国特許第２００６／２１１２９３号Ａ１は、単一片の絶縁コーティングを有する電気コネクタを開示している。コーティングにおける開口は、ポジティブロック（positive lock）を作るようにラッチアームにおいて操作部分を受容する役割を果たし、ケーブル出口は、ストレインリリーフ部材を受容する役割を果たす。絶縁コーティングがなされる場合に、コーティングの後方壁は、突出部分をゆがめ（deflect）、および最終的に、突出部分の前表面により留められる。
【０００９】
エンクロージャーに挿入するためのストレインリリーフは、米国特許第２００７／１１０３８５号Ａ１に開示されており、該ストレインリリーフは、エンクロージャーにおける開口縁と係合するための窪み部分を有する。ストレインリリーフを取り付けるために、窪み部分がポジティブロックにより開口と係合するまで、ブート体（boot body）をエンクロージャーにおける開口に通過させる。
【００１０】
自己ロック式（self-locking）のストレインリリーフブッシングは、英国特許第６３５  ０８９号Ａに記載されており、２つの部分から成る。２つの部分は、ケーブルをクランプするように一体に留めることができる。ブッシングにおけるテーパー（または徐々に細くなる、taper）した外側表面は、２つの部分のブッシングを取付板の開口部のなかで組み立てるのを容易にするように機能する。ブッシングは、所定位置まで開口内に移動でき、その位置において、ストレインリリーフの部分における溝は、ポジティブロックによって、取付板の孔の縁と係合する。
【００１１】
英国特許第２  ０２８  ００９号Ａは、外側成形（over-mold）されているストレインリリーフを備えた電気リードケーブルを記載している。ストレインリリーフは、開口の受容縁をポジティブ−フィッティングする（positive-fitting）ための溝を有する。
【００１２】
米国特許第５，４６５，３１３号Ａでは、ファイバー光ケーブルを囲むためのストレインリリーフブートを有する光ファイバーコネクタが開示されている。ストレインリリーフブートは、後方に延在しているハウジングのバレル部分を受容するために機能し、および所定位置までストレインリリーフブートを前方向にスライドすることによって、バロー部分上に取り付けることができ、バレル部分とストレインリリーフブートとの間のスナップ−オン接続は所定位置においてスナップ（snap）する。
【００１３】
欧州特許第０９  ０１２  ２７０号および欧州特許第１０  ００１  １０３号から特に知られるエンクロージャーアセンブリは、その中に受容されているコネクタに、追加の保護を与えるのにとりわけ好都合である。従って、それは、好ましくは、厳しい環境、例えば、屋外での用途に用いられている。
【００１４】
本発明の目的は、環境に対するエンクロージャーアセンブリ内のコネクタの保護をさらに改善することである。
【００１５】
この目的は、コネクタ容積部が電磁気遮蔽構造内に位置しており、電磁気遮蔽構造が内側体内に位置している、初めに述べたエンクロージャーアセンブリについての本発明によって達成される。
【００１６】
従って、本発明に係るエンクロージャーアセンブリは、機械的な危険に対する保護だけでなく、電磁気領域および落雷被害に対する保護をも提供する。これに関して、大抵の場合に、コネクタ容積部内に位置しているコネクタに、個々の標準化仕様に従う遮蔽が既に設けられていることに留意されたい。エンクロージャーアセンブリは、コネクタ容積部内におけるコネクタの可動性を制限せずに、特別な保護を与える。電磁気遮蔽構造が内側体内に位置することにより、例えば、欧州特許第０９  ０１２  ２７０号および欧州特許第１０  ００１  １０３号から知られているように内側体と外側体との相互作用が変わらず維持される。さらに、内側体内に位置することによって、電磁気遮蔽構造は、外側体および内側体が破損（fail）した後の機械的衝撃に対する追加バリアを構成している。最後に、コネクタ容積部が電磁気遮蔽構造内に配置されているため、後者は、少なくとも、コネクタによって提供されるシールドと比較して、大きい直径を有する必要がある。大きい直径は、大きな導電性断面領域をもたらし、および従ってとりわけ低い電気抵抗容量をもたらす。
【００１７】
本発明に係るエンクロージャーアセンブリは、電源コネクタ、銅コネクタにとりわけ適しており、およびまた、ファイバーコネクタおよびこれらのコネクタの組み合わせなどに用いられてよい。
【００１８】
以下に、本発明に係るエンクロージャーアセンブリの更なる改善が記載される。これらの付加的な改善は、特定の改善の特定の利点が、特定の用途において必要かどうかに応じて、互いに独立して組み合わせることができる。
【００１９】
第１の好都合な改善によると、電磁気遮蔽構造は、内側体によって前方向にスライドされるように少なくとも部分的に適合されてよい。電磁気遮蔽構造のこの適合は、内側体および外側体をケーブルにおける後方位置に置いた状態でケーブルの末端に電磁気遮蔽構造を取り付けることができるという利点を有する。従って、内側体、および可能ならば外側体は、内側体によってスライドするように配置されている電磁気遮蔽構造の少なくともそれらの部分を取り付けることを妨害しない。
【００２０】
電磁気遮蔽構造は、好ましくは、コネクタ容積部内におけるコネクタの保護を向上するように、固体壁領域を含んでよい。固体壁は、とりわけ、隙間を有さなくてよく、および／または個々の標準に従って、コネクタ容積部内に位置したコネクタによって伝送される最大電磁気周波数の波長のおおよそ１０分の１よりも小さい隙間を有してよい。
【００２１】
電磁気遮蔽構造およびその任意の部分は、導電性、好ましくは低い残留磁気の好ましくは強磁性の材料から作ることができる。電磁気遮蔽構造は、とりわけ、青銅、とりわけリン青銅を含む、ニッケルでめっきされてよい材料から少なくとも部分的に作られてよい。
【００２２】
更なる好都合な実施形態によれば、電磁気遮蔽構造は、１以上の本質的に管状の固体壁要素から作られている。固体壁は、電磁気遮蔽構造の大きな導電性断面に影響を与える。管状断面は、別の機械的に強固なシェルをエンクロージャーアセンブリに付することによって、改善された機械的保護をもたらす。
【００２３】
別の好都合な改善によれば、電磁気遮蔽構造は、可動遮蔽サブ構造を含んでよく、該可動遮蔽サブ構造は、少なくとも、前方位置および／または前方向に向かう内側体の移動に関して、内側体によって保持されるように適合されている。可動遮蔽サブ構造が内側体と一体に移動できるので、この配置は、ケーブルにおけるエンクロージャーアセンブリの取り扱いおよび組立てを容易にする。とりわけ、可動遮蔽サブ構造は、内側体が前方向にスライドする前に、内側体とともに予め組み立てられてよい。従って、内側体および可動遮蔽サブ構造は、一体として取り扱われてよい。
【００２４】
可動遮蔽サブ構造は、とりわけ、上述したような固体壁部分を含んでよい。
【００２５】
別の実施形態によると、電磁気遮蔽構造が固定遮蔽サブ構造を含んでおり、該固定遮蔽サブ構造が、ケーブルに固定されおよび電磁気遮蔽構造の可動サブ構造によって前方向にスライドするように適合されている場合に、それは好都合である。この配置において、電磁気遮蔽構造は、ケーブル上に取り付けられる一部およびケーブルに沿って動かされる一部を備えることによって、エンクロージャーアセンブリの構造を本質的に反映する。従って、充分な空間が、固定遮蔽サブ構造および／またはコネクタをケーブル上に組み立てるように設けられている。固定遮蔽サブ構造および好ましくはさらに、コネクタが所定位置にある場合に、可動遮蔽サブ構造が固定遮蔽サブ構造上に押し込まれる。固定遮蔽サブ構造は、好ましくは、少なくとも間接的に、ケーブルシールドと電気的に接触している。固定遮蔽サブ構造は、上述した配置の１つにおいて固体壁部分を含んでもよい。エンクロージャーアセンブリが嵌め合いエンクロージャーに接続され得る操作位置において、固定遮蔽サブ構造は、可動遮蔽サブ構造の後方に、および／またはコネクタ容積部の後方末端に位置してよい。
【００２６】
さらに、固定遮蔽サブ構造は、前方向において、内側体のための止め具を形成してよい。従って、内側体は、固定遮蔽サブ構造がケーブル上に固定されている場合にケーブルから意図せずに外れ得ない。これは、エンクロージャーアセンブリの取り扱いを容易にする。
【００２７】
別の好都合な実施形態によれば、可動および固定遮蔽サブ構造が、内側体の前方向への移動、例えば、操作位置への移動の間に、導電性のある状態で自動的に互いに接続される場合に、エンクロージャーアセンブリの操作は容易にできる。ここで、操作者は、当該分野において、可動および固定遮蔽サブ構造を接続することに気を掛ける必要はない。なぜなら、内側体をその操作位置に向かって前方に移動させる場合に、この接続が確立されるからである。固定および可動遮蔽サブ構造の接続は、コネクタ容積部の移動領域および／または末端に、好ましくは、コネクタ容積部の外側において位置してよい。
【００２８】
可動および固定遮蔽サブ構造の間の接続は、好ましくは半径方向にひずむことができる少なくとも１つの接触バネによって確立されてよい。大きい導電性断面を提供するのに、低いＤＣ（直流）インピーダンスで、複数の接触バネは好ましい。接触バネが可動および固定遮蔽サブ構造の係合に対してセルフ−センタリング力（または自己中心力、self-centring force）を及ぼすように、接触バネが、とりわけリングのような形状で配置されてよい。接触バネは、銅を組み合わせた材料から作られてよく、およびニッケルめっきされてよい。
【００２９】
可動遮蔽サブ構造が固定遮蔽サブ構造上を前方向にスライドするように、可動遮蔽サブ構造は、固定遮蔽サブ構造よりも小さい直径を有してよい。
【００３０】
可動遮蔽サブ構造のセルフ−センタリングを容易にするように、内側体と組み合わせてまたは組み合わせずに、固定遮蔽サブ構造が円錐台形の外側壁領域を含んでよく、これにより、固定および可動遮蔽サブ構造の間の接触バネの段階的な（progressive）係合が可能になる。
【００３１】
別の好都合な実施形態によれば、遮蔽効率を改善するために電磁気遮蔽構造はコネクタ容積部の後方壁を形成してよい。とりわけ、固定磁気遮蔽構造は、テーパーしてよく、とりわけ円錐台形の壁領域を有してよく、従って、遷移部分を形成しており、固定遮蔽サブ構造の直径は、およそケーブル直径からコネクタ容積部のおよそ内側直径まで増加する。このテーパー領域は、コネクタ容積部の後方壁および／または内側体のための止め具を形成してよい。
【００３２】
ケーブル上に固定されるように適合されている、電磁気遮蔽構造のサブ構造、好ましくは、固定遮蔽サブ構造によって、後方壁が形成されてよい。これは、さらに発展でき、後方壁は、上述したように、とりわけ、内側体および／または外側体のための止め具を形成してよい。
【００３３】
コネクタおよびそのカウンターパートの遮蔽を完成するように、本発明に係るエンクロージャーアセンブリのシールドと、嵌め合いエンクロージャーとの間に導電性接続を成す必要がある。これに関して、電磁気遮蔽構造は、その前方末端において、少なくとも１つの接触バネを含んでよい。この少なくとも１つの接触バネは例えば、固定および可動遮蔽サブ構造の間の電気的接触に関して上述された接触バネのように配置されてよい。しかしながら、前方末端に設けられている少なくとも１つの接触バネのために、少なくとも１つの接触バネ、または遮蔽構造の、固定および可動遮蔽サブ構造への分割がある必要はない。
【００３４】
とりわけ、接触バネは、リングのような要素の部分であってよく、該接触バネは、可動遮蔽サブ構造の末端上に取り付けられている。接触バネが位置する直径が前方および後方末端の両方で同じまたは少なくともほとんど同じであり、接触バネに沿った導電性断面が可能な限り大きいことは好ましい。バネの接触が配置される直径は、コネクタ容積部の内側直径と、とりわけ密接に対応してよい。
【００３５】
前方末端における少なくとも１つの接触バネは、それらが自由に移動可能なコネクタを妨げ得るコネクタ容積部内へ突出しないように、外側を向いてよい。
【００３６】
固定遮蔽サブ構造の構成をシンプルに維持するように、可動遮蔽サブ構造に、その前方および後方末端において接触バネが設けられてよい。
【００３７】
電磁気遮蔽構造、とりわけ固定遮蔽サブ構造（存在する場合）は、その後方末端において導電性のある状態でケーブルシールドに接続されてよい。
【００３８】
その後方領域において、電磁気遮蔽構造、とりわけ固定遮蔽サブ構造は、とりわけ、エンクロージャーアセンブリのストレインリリーフ領域によって、ケーブル上に保持されてよい。ストレインリリーフ領域は、電磁気遮蔽構造の後方部分にわたって外側成形されてよく、所定位置に強固にそれを維持できる。
【００３９】
別の好都合な実施形態によれば、電磁気遮蔽構造は、遮蔽フェルールを含んでよく、該遮蔽フェルールは、その後方末端において、ケーブルシールドと接触する。遮蔽フェルールは、電磁気遮蔽構造の後方の部分または領域を形成してよく、およびとりわけ、固定遮蔽サブ構造の一部であってよい。遮蔽フェルールは、後方向にテーパーしてよい。さらに、それは、好ましくは、エンクロージャーアセンブリのストレインリリーフによって、その後方末端においてケーブルに固定されてよい。
【００４０】
さらに、電磁気遮蔽構造、とりわけ、固定遮蔽サブ構造は、遮蔽スリーブを含んでよく、該スリーブは、ケーブル上に取り付けられており、および２層のケーブル遮蔽材料の間に位置している。遮蔽スリーブによって、ケーブルは、強固にされており、および電磁気遮蔽構造とケーブルシールドとの間の電気的接続は安定化される。とりわけ、遮蔽スリーブは、２層のケーブルシールドの間に位置してよく、ケーブルシールドの外側層は、内側層の折り返し部分である。
【００４１】
遮蔽スリーブおよび残りの電磁気遮蔽構造、または残りの固定遮蔽サブ構造は、遮蔽スリーブを残りの電磁気遮蔽構造の後方末端内に収容できる寸法にされている。スリーブと残りの構造との間の対応する隙間は、単一のケーブルシールドよりも大きい、および好ましくは、ケーブルシールドの５回折った（fold）厚さよりも小さい、このような半径方向の幅を有する。隙間のこの寸法は、ケーブルシールドが遮蔽スリーブの外側表面上に位置する場合でさえ、残りの遮蔽構造の滑らかなスライド動作を可能にする。同時に、ケーブルシールドと残りの電磁気遮蔽構造との間の接触が確実にされる。
【００４２】
操作中、電磁気遮蔽構造の残りは、遮蔽スリーブについて、ポジティブまたは摩擦ロックを保障するように、例えば圧縮されて（crimped）、遮蔽スリーブに関して塑性変形されてよい。しかしながら、誤差を補うのに、遮蔽スリーブが電磁気遮蔽構造の残りに関して所定量の可動性を保持することは好ましい。従って、遮蔽スリーブが実質的に変形せずに維持されながら、塑性変形を遮蔽構造の残りに限定することは好ましい。従って、遮蔽スリーブ自体は、摩擦ロックにより保持され、それでもケーブルに関して移動可能である。折り返されたケーブルシールド、または代替的に、分離要素が、スリーブとフェルールとの間に導電性要素を形成して、この可動性を可能にしている。
【００４３】
遮蔽スリーブと遮蔽フェルールとの両方は、電磁気遮蔽構造の固定遮蔽サブ構造を構成できる。この組み合わせにおいて、遮蔽スリーブは、ケーブルシールドと遮蔽フェルールとの接続を安定化し、および遮蔽フェルールは、固定遮蔽サブ構造の直径を増加するのに用いられてよく、固定および可動遮蔽サブ構造の間の接続は、可能な最大直径において行われる。
【００４４】
代替的な実施形態において、遮蔽フェルールは、可動遮蔽サブ構造と一体化されてよい。
【００４５】
それ自体が発明であり得る別の好都合な実施形態において、軸合わせアダプタは、コネクタ容積部内に保持されており、アダプタは、少なくとも１つのコネクタに対して相補的な受容部を備えている。これは、コネクタ容積部内に固定されているコネクタの機械的安定性を増加させる。アダプタは、電磁気遮蔽から利益を得るように、電磁気遮蔽構造内に配置されてよい。アダプタは、誘電材料、例えば、塑性材料から作られてよい。
【００４６】
アダプタは、汚れがコネクタ容積部に入り得ないようにコネクタ容積部の前方開口を完全に満たしてよい。
【００４７】
最終的に、エンクロージャーアセンブリのためのダストキャップも設けられてよい。エンクロージャーアセンブリは、上述したように配置されてよい。ダストキャップは、ポットのような電磁気遮蔽構造を有してよく、該構造は、キャップハウジング内に位置する。好ましくは、キャップの遮蔽構造は、エンクロージャーアセンブリとの係合の際に、エンクロージャーアセンブリの遮蔽構造に対して自動的に接続するように適合されている。ダストキャップの電磁気遮蔽構造は、とりわけ、エンクロージャーアセンブリのために上述したようなリングのような接触バネ要素を含んでよい。
【００４８】
以下に、本発明およびその改善は、例示的な実施形態を用いて、および図面を参照して、さらに詳細に記載される。上述したように、実施形態に示される様々な特徴は、特定の用途において、互いに、独立して用いられてよい。
【図面の簡単な説明】
【００４９】
【図１】図１は、操作中における、本発明に係るエンクロージャーアセンブリの概略的な斜視図を示す。
【図２】図２は、図１のエンクロージャーアセンブリの部分の概略的な斜視図を示す。
【図３】図３は、図１のエンクロージャーアセンブリのための第１組立工程の概略的な斜視図を示す。
【図４】図４は、図１のエンクロージャーアセンブリのための第２組立工程の概略的な斜視図を示す。
【図５】図５は、図１のエンクロージャーアセンブリのための第３組立工程の概略的な斜視図を示す。
【図６】図６は、図１のエンクロージャーアセンブリのための第４組立工程の概略的な斜視図を示す。
【図７】図７は、図１のエンクロージャーアセンブリのための別の組立工程の概略的な斜視図を示す。
【図８】図８は、図７の組み立て工程に続く組立工程の概略的な斜視図を示す。
【図９】図９は、図８の組立工程に続く組立工程の概略的な斜視図を示す。
【図１０】図１０は、中央平面に沿って切断されている、図１のエンクロージャーアセンブリの概略図を示す。
【図１１】図１１は、本発明に係る電磁気遮蔽構造の概略的な斜視図を示す。
【図１２】図１２は、コネクタ容積部に位置している標準化されたコネクタを有する図１のエンクロージャーアセンブリの概略的な斜視図を示す。
【図１３】図１３は、図１のエンクロージャーアセンブリのためのキャップの概略的な斜視図を示す。
【図１４】図１４は、そこに取り付けられている図１３のダストキャップを有する図１のエンクロージャーアセンブリの概略的な斜視図を示す。
【図１５】図１５は、バルクヘッド上に取り付けられており軸合わせアダプタを有している図１のエンクロージャーアセンブリの、外側平面に沿った断面における概略的な斜視図を示す。
【図１６】図１６は、遮蔽構造を有さないエンクロージャーアセンブリの遮蔽効率の概略図を示す。
【図１７】図１７は、本発明に係る遮蔽構造を有するエンクロージャーアセンブリの遮蔽効率の概略図を示す。
【発明を実施するための形態】
【００５０】
図１は、本発明に係るエンクロージャーアセンブリ１が、例えば通信機器などのキャビネット２上に取り付けられている場合における本発明に係るエンクロージャーアセンブリ１を示す。エンクロージャーアセンブリ１は、嵌め合いエンクロージャー３、例えば、バルクヘッドなどにより一体にロックされている。エンクロージャーアセンブリは、例えば、プリント回路板８または別の電気要素上において嵌め合いコネクタ６に接続されている好ましくは標準化されたコネクタ４を含む。
【００５１】
図１に示すように、別個にコネクタと嵌め合う様々なタイプの標準化されたコネクタがバルクヘッド２により接続されてよい。エンクロージャーアセンブリ１は、その構造に対するいかなる修正もなしに、例えば、ＲＪ４５，ＵＳＢ，ＨＤＭＩ，ＦＯ，ＡＭＰＭＯＤＵ，ＨＳＩＯのような任意のこれらのコネクタ、または電力および／またはデータの伝送のための任意の他のタイプのコネクタを含むように適合されている。
【００５２】
エンクロージャーアセンブリ１の一般的な構造および配置は、例えば、欧州特許出願第０９  ０１２  ２７０号公報および欧州特許出願第１０  ００１  １０３号公報から知られており、それらの全体がそれぞれ参照により組み込まれる。
【００５３】
本発明に係るエンクロージャーアセンブリ１は、電磁気遮蔽構造が設けられているという点で、これらの既知のエンクロージャーアセンブリから逸脱している。これは、以下に説明される改良をもたらす。
【００５４】
本発明に係るエンクロージャーアセンブリ１の例示的な実施形態の配置は、エンクロージャーアセンブリが組み立てられる場合に行われる工程を見ることによって最も良く説明される。これらの工程は図２〜１０に示される。
【００５５】
図２は、エンクロージャーアセンブリ１の固定されたサブアセンブリ１０の一部である要素を示す。固定されたサブアセンブリ１０の要素は、少なくともそれらの仕上げの操作状態において、ケーブル１２に関して固定されている。固定されたサブアセンブリ１０の要素は、遮蔽スリーブ１４、遮蔽フェルール１６およびストレインリリーフ１８を含む。遮蔽スリーブ１４および遮蔽フェルール１６は、エンクロージャーアセンブリ１の電磁気遮蔽構造の一部である固定遮蔽サブ構造２０を一体に形成できる。固定遮蔽サブ構造２０の部分は、好ましくは、ニッケルめっきされてよい固体壁の管状材料（例えば、青銅、とりわけ、リン青銅）から作られている。
【００５６】
図２からわかるように、ストランド２４がケーブル１２の前方末端２５において暴露されている。ストランド２４の末端において、絶縁（isolation）が既に除去されていてよい。
【００５７】
さらに、ケーブルシールド２２は、前方末端２５において暴露されている。好ましくは、ケーブルシールド２２は、ストランド２４が暴露されているケーブル領域の所定位置に置かれてよく、従って、実線ではない線により示されるように、ケーブルシールド２２の更なる長さ２６を与える。
【００５８】
ストレインリリーフ１８は、プラスティック材料から作られている。それは、既製品要素であってよく、またはその場所で成形されもしくは縮められ（shrunk）てよい。
【００５９】
図１に示される封止エンクロージャー１の部分の現地での組立てのための第１組立工程が図３に示される。ここで、遮蔽スリーブ１４は、ケーブルの前方末端上をスライドし、それは、好ましくは、暴露されたケーブルシールド２２上に置かれている。実線ではない線により示されるように、ケーブル１２の末端領域において、ケーブルシールド２２の更なる長さ２６があってよく、そこではストランド２４がむき出しになっている。
【００６０】
遮蔽スリーブ１４の内側直径２８は、ケーブル１２上の、ケーブルシールド２２の外側直径３０よりも大きく、遮蔽スリーブは、ケーブル１２の部分上までケーブルシールド２２上を容易にスライドし、ストランド２４ではなくケーブルシールド２２が事前に暴露される。
【００６１】
しかしながら、遮蔽スリーブ１４の内側直径２８は、遮蔽スリーブ１４とケーブルシールド２２との間の大きい面積における導電性接触を確実にするのに充分小さい。ケーブルシールド２２は、編まれた形態を有してよく、または金属薄片から作られてよく、またはその両方の組み合わせを含んでよい。
【００６２】
図４に示されるような第２組立工程において、図３の２６で示される更なる（または余分の、excess）ケーブルシールドは、後方向３２に、折り重ねられており、そのためそれは、少なくとも部分的に、好ましくは完全に、外側の、とりわけ円筒状の接触スリーブ１４の表面を囲んでいる。
【００６３】
接触スリーブ１４は、ケーブル１２の末端部分を安定化させならびに図２に示される遮蔽フェルール１６のための支持および改善された接触をもたらす役割を果たす。
【００６４】
次に、図５に示されるように、遮蔽フェルール１６は、ケーブル１２、遮蔽スリーブ１４および、遮蔽スリーブに被着するケーブルシールド２２の上を、後方向３２にスライドする。
【００６５】
遮蔽スリーブ１４の外側周囲表面上における、更なるケーブルシールド２６と一体の遮蔽スリーブ１４は、少ない遊隙を有して遮蔽フェルール１６内に収容されている。従って、遮蔽フェルールは、スリーブ１４またはケーブルシールド２６を離れず（delocate）に、遮蔽スリーブ１４上を容易にスライドする。
【００６６】
図５から更にわかるように、遮蔽フェルールは、本質的に管形状であってよく、および円筒状の２つの領域３４、３６を有してよい。後方の円筒状領域３４は、前方の円筒状領域３６よりも小さい直径を有してよい。円筒状領域３４、３６の間において中間領域３８が配置されてよい。中間領域３８は、後方向３２にテーパーした円錐台形状であってよい。
【００６７】
小さい直径の円筒領域３６またはその後方末端４０が、暴露されたケーブルシールド２２および／または遮蔽スリーブ１４上に置かれ、およびそれらと電気的接触した状態で、遮蔽フェルール１６が所定位置にある場合に、ストレインリリーフ１８は所定位置に置かれる。遮蔽スリーブ１４および／または遮蔽フェルール１６がケーブル１２の上に置かれる前に、ストレインリリーフ１８は、ケーブル１２上を後方向３２にスライドしてよい。図５に示される組立工程の最後に、ストレインリリーフ１８は、その前方部分４３が遮蔽フェルール１６の後方領域３４と係合するまで、ケーブル１２に沿って前方向４２にスライドされる。これに関して、ストレインリリーフ１８の前方部分４３は、前方向／後方向３２、４２に対して固定された部分に、遮蔽フェルール１６を保持するように弾性的に拡大されてよい。代替的に、または追加的に、ストレインリリーフ１８が熱収縮材料を含むまたは熱収縮材料から作られている場合に、熱が、ストレインリリーフ１８に適用されてよい。また、ストレインリリーフ１８は、ケーブル１２のまわりに、および遮蔽フェルール１６の少なくとも後方領域２４のまわりに、現場において成型されてよい。ストレインリリーフ１６は、中間領域３８を広げおよび覆ってよい。
【００６８】
その配置とは独立して、ストレインリリーフ１８は、遮蔽フェルール１６、およびケーブル１２上の固定遮蔽サブ構造２０の少なくとも一部を保持する役割を果たす。好ましくは、ストレインリリーフ１８は、ケーブル１２と、後方末端における電磁気遮蔽構造の内側との間の如何なる隙間をも封止する。
【００６９】
遮蔽フェルール１６内の遮蔽スリーブ１４は、好ましくは、ストレインリリーフ１８によって固定されない。むしろ、誤差を補うことができるように遮蔽スリーブ１４が、遮蔽フェルール１６、または遮蔽構造の残りに対して可動性を有していることは好ましい。とりわけ、スリーブは、ケーブルシールド２６によってのみ保持され得る。
【００７０】
さらに、エンクロージャーアセンブリ１に可動遮蔽サブ構造４４が設けられてよく、図７〜９を参照して、例のみによって、説明される。
【００７１】
例えば、固定遮蔽サブ構造２０の大きい直径の円筒状領域３４を延ばすことによって、可動遮蔽サブ構造４４を構成する要素は、改良により固定遮蔽サブ構造２０と一体化されてよい。
【００７２】
しかしながら、固定および可動遮蔽サブ構造２０、４４の組み合わせから得られる遮蔽構造の分割は、ストランド２４（別の方法では、大きい直径の円筒領域３４によって覆われる）上へのコネクタの更に容易な取り扱いおよびとりわけ更に容易な取り付けをもたらすと考えられる。従って、ケーブルストランド２４は、例えば、図６に示すように、アクセス可能な状態で維持される。
【００７３】
可動遮蔽サブ構造４４は、本質的に管形状の遮蔽要素４６を含む。遮蔽要素４６は、好ましくは、リン青銅のような青銅材料から作られてよい。遮蔽要素４６は、ニッケルめっきされてよい。
【００７４】
遮蔽要素４６は、好ましくは、固体壁体から作られており、従って、付加的な保護シェルを有するエンクロージャーアセンブリ１を提供する。前方末端４８において、遮蔽要素４６は、後方末端５２においてよりも大きい内側および／または外側の直径５０を有してよい。遮蔽要素４６の大きい直径の領域と小さい直径の領域の間の遷移領域５４は、後方向３２にテーパーしてよく、別個に、円錐台形状を有してよい。後方接触バネは、半径方向に内側の位置からアクセスでき、前方接触バネは、半径方向に外側の位置からアクセスできる。
【００７５】
可動遮蔽サブ構造４４の少なくとも１つの末端に、半径方向にゆがむことができる（deflectable）少なくとも１つの接触バネ５６が設けられてよい。後方末端５２における接触バネ５６は、固定遮蔽サブ構造２０と接触するように機能する。前方末端４８における接触バネ５６は、図１に示されるキャビネット２のバルクヘッドであり得る嵌め合いエンクロージャーと接触するように機能する。
【００７６】
接触バネ５６は、例えばリングのようなバネ部材５７のような分離要素の部分であってよい。リングのようなバネ部材５７は、受容部を形成してよく、遮蔽要素４６の末端４８および／または５２が、該バネ要素５７内に押し込まれてよい。
【００７７】
図７からわかるように、リングのような構造５７は、複数の接触バネ５６を含んでおり、接触バネ５６は、周囲方向に沿って並列に配置されている。
【００７８】
各々の接触バネ５６は、凸部５８を含んでよく、該凸部５８は、前方向／後方向３２、４２を向いている。
【００７９】
後方末端５２において、接触バネ５６は、半径方向に内側に突出してよく、および遮蔽要素４６の内側表面に置かれてよい。前方末端４８において、接触バネ５６は、遮蔽要素４６の外側表面上に配置されてよい。凸部５８は、遮蔽要素４６に対して弾性的に押し込まれてよい。
【００８０】
当然に、接触バネ５６は、遮蔽要素４６によって一体に形成されてもよい。しかしながら、これは、抵抗を増加させ、および遮蔽要素４６のシェルのような構造の強固さ（rigid）を弱めると考えられる。 
【００８１】
図８は、組立て前の状態において、可動遮蔽サブ構造４４を示す。可動遮蔽サブ構造４４が完成すると、それは、エンクロージャーアセンブリ１の内側体６２の前方開口６０内に挿入される。内側体は、前方向および後方向に開口しており、ケーブル１２は、それを通過して延在してよい。
【００８２】
内側体６２がケーブル１２上を後方向３２にスライドする前に、または後の工程において、例えば、内側体６２がケーブル上に位置する場合に、この挿入が行われてよい。好ましくは、内側体６２は、ストレインリリーフ１８がケーブル１２末端に取り付けられる前および／または遮蔽スリーブ１４および／または遮蔽フェルール１６がケーブル末端に取り付けられる前に（図３〜６を参照されたい）、ケーブル１２上をスライドする。
【００８３】
可動遮蔽サブ構造４４が内側体６２に挿入される場合に、図９に示される構成が得られる。図示されるように、可動遮蔽サブ構造４４が一部であってよい電磁気遮蔽構造は、内側体６２から前方向４２に突出してよい。可動遮蔽サブ構造４４の接触バネ５６は、内側体６２の前方末端６４（図８を参照されたい）のまわりに形成してよい。遮蔽要素４６の突出６６（図７を参照されたい）は、内側体６２の内側壁と係合してよい。突出６６および／または内側体６２のリムのような前方末端６４のまわりに隣接および回転される接触バネ５６は、可動遮蔽サブ構造４４を所定位置に強固に維持するように支援する。
【００８４】
従って、好ましくは、可動遮蔽サブ構造４４と一体化した内側体６２は、ケーブル１２上に固定された、固定遮蔽サブ構造２０の上をケーブル１２に沿って前方向に移動される。最終的に、外側保護シェルを提供し、およびエンクロージャーアセンブリ１を嵌め合いアセンブリ３（例えば、図１０を参照されたい）にロックするためにロック要素７０を操作するためのハンドルデバイスとして機能する外側体６８は、内側体６２上をスライドする。
【００８５】
内側体６２が、固定遮蔽サブ構造２０の上をスライドする場合に、可動遮蔽サブ構造４４に対する接続は、自動的に確立される。外側体６８がその操作位置に到達する場合に、内側体６２は、ケーブルに関して自動的に固定される。このため、外側体６８は、後方末端７１において作動表面７２を含んでおり、それは、内側体６２の半径方向にひずむことができるロック部材７３に押し付けられている。従って、ロック部材７３は、摩擦および／またはポジティブロックのためのストレインリリーフと係合させる。
【００８６】
得られるエンクロージャーアセンブリ１が、例えばバルクヘッド２のような嵌め合いエンクロージャーと連結する場合に、図１に示される絵が得られる。
【００８７】
図１０は、嵌め合いエンクロージャー３を用いてバルクヘッド２に取り付けられている組立エンクロージャーアセンブリ１、すなわち、操作状態におけるエンクロージャーアセンブリの中央平面に沿った断面を示す。嵌め合いエンクロージャー３は、例えば、キャビネットに取り付けられているバルクヘッドであってよい。
【００８８】
図示されるように、遮蔽スリーブ１４とケーブル１２との間、および遮蔽スリーブ１４と遮蔽フェルール１６との間の両方に遊隙がある。
【００８９】
さらに、電磁気遮蔽構造７４全体は、内側体６２内に収容され、従って、コネクタ容積部７８の外側壁７６を形成する。図示される特定の実施形態において、外側壁７６は、固定遮蔽サブ構造２０の上をケーブルに沿って移動することができる可動遮蔽サブ構造４４によって形成されてよい。コネクタ容積部７８の後方壁８０もまた、電磁気遮蔽構造７４、とりわけ、固定遮蔽サブ構造２０の別個のその円錐台形部分、すなわち、中間領域３８によって形成される。固定遮蔽サブ構造２０は、コネクタ容積部７８の後方領域８１において位置する。
【００９０】
固定遮蔽サブ構造２０および可動遮蔽サブ構造４４は、固定遮蔽サブ構造２０の外側周囲表面と可動遮蔽サブ構造４４との間に配置されている少なくとも１つの接触バネ５６を用いて、互いに接続されている。この接続は、好ましくは、コネクタ容積部７８の後方末端部分８１に位置している。
【００９１】
固定遮蔽サブ構造２０よりも概して大きい直径であってよい可動遮蔽サブ構造４４の壁厚さは、固定遮蔽サブ構造２０の壁厚さよりも薄くてよい。より大きい直径に起因して、前方向／後方向３２／４２に垂直な可動遮蔽サブ構造４４の断面領域は、固定遮蔽サブ構造２０の断面領域よりも大きい。固定および可動遮蔽サブ構造２０、４４の断面領域は、大きい導電性領域をもたらし、非常に低いＤＣ抵抗を達成できる。
【００９２】
コネクタ容積部７８内の充分な空間と、ストランド４２の末端に取り付けられているコネクタの自由な移動を可能にするように、固定遮蔽サブ構造２０は、後方部分８１において、短い部分でしか、前方向に、およびコネクタ容積部７８内まで延在しない。
【００９３】
さらに、中間部分３８に取り付けられているストレインリリーフと一体化した、固定遮蔽サブ構造２０のテーパーした中間部分３８は、内側体６２のための止め具を形成していることがわかる。これは、内側体６２がケーブル１２から意図せずに外れるのを防止する。
【００９４】
付加的な利益は、遮蔽構造が大きな直径を有する位置に置かれているバネ接触５６から得られる。これは、図１１に示されるように、多数の接触５６を互いに並んで配置できる。従って、高い接触力は、時間とともに、および同時に、固定遮蔽サブ構造２０と可動遮蔽サブ構造４４との間を通過する電流のための大きい遷移断面において、維持されてよい。これは、例えば、落雷被害について、低いＤＣ抵抗と優れたＥＳＤ性能をもたらす。とりわけ、実施形態のＤＣ抵抗値は、数ミリオームのみで示される。
【００９５】
好ましくは、ストランド２４が容易にアクセス可能である図６の組立工程後において、コネクタ４は、図１２に示されるように、ストランド２４の末端に取り付けられてよい。コネクタ４は、コネクタ容積部７８内に、緩く、受容されており、嵌め合いエンクロージャーと嵌め合いコネクタとの間の位置の誤差が、コネクタ容積部７８内にコネクタ４を移動することによって補償できる。
【００９６】
エンクロージャーアセンブリ１が、嵌め合いエンクロージャーまたはバルクヘッドに接続されていない場合に、嵌め合いエンクロージャーまたはエンクロージャーアセンブリ１上に位置するキャップ８２を提供することは必要であってよい。図１３および１４に示されるようなキャップ８２は、本質的にポットのような遮蔽構造８４を有する。
【００９７】
最終的に、図１５は、エンクロージャーアセンブリ１の改良を示す。ここで、軸合わせアダプタ８８は、コネクタ容積部７８内に挿入されている。好ましくは、軸合わせアダプタ８８は、コネクタ容積部７８の前方開口８９を完全に満たし、従って、前方向において、コネクタ容積部７８を外側環境９０に対して効果的に封止する。
【００９８】
軸合わせアダプタ８８に、少なくとも１つのコネクタまたはカウンターコネクタのための相補的受容部９１が設けられている。軸合わせアダプタ８８は、電磁気遮蔽構造の内側に配置されている。
【００９９】
上述したようなエンクロージャーアセンブリ１は、いかなる干渉する遮蔽構造に対する注意を払う必要なしに、コネクタ容積部７８内のコネクタ４をストランド２４上に取り付けることができるという利点を有する。固定および可動のサブ構造２０、４４への遮蔽構造７４の分割に起因して、遮蔽は、コネクタが取り付けられた後に、仕上げられてよい。この仕上げは、内側体６２が前方にその操作位置にスライドされる場合に自動的に行われる。少なくとも、内側体６２によって操作位置に達する場合に、固定および可動の遮蔽サブ構造は、内側体６２のこの前方への移動の間に、自動的に互いに接触する。
【０１００】
容易にされたコネクタ４へのアクセスが重要でない場合に、重点は、低い製造コストに置かれてよい。ここで、遮蔽フェルール１６および遮蔽要素４６がケーブル上に固定された１つの一体化要素である単一の電磁気遮蔽構造は、好都合であり得る。この改良のために、上記は、また、変更すべきところは変更して、適用する。
【０１０１】
上述した実施形態は、とりわけ、電力コネクタに適している。
【０１０２】
上記において、所定の構造が、「サブ構造」として記載されているが、これは、これらの構造が別の構造の部分であることを要求しない。固定遮蔽構造のみ、または磁気構造のみがある場合に、これらのサブ構造は、電磁気遮蔽構造全体を構成してよい。
【０１０３】
本発明に係るエンクロージャーアセンブリの遮蔽効果は、図１６および１７の比較からわかる。
【０１０４】
図１６は、周波数において、３つの位置で測定された、後方向に伝播する、および前方向／後方向３２、３４に垂直な方向に配向した電磁場の強さを示す。測定位置は、エンクロージャーアセンブリの軸に沿って間隔があけられ、エンクロージャーアセンブリの前方において位置した、線Ａと、エンクロージャーアセンブリの前方開口の平面において、線Ｂと、後方向において前方開口から間隔があけられた、線Ｃとである。  図１６において、エンクロージャーアセンブリは、電磁気遮蔽構造を有さない。
【０１０５】
図１７は、違いがエンクロージャーアセンブリに電磁気遮蔽構造７４が設けられていることである、同じ測定を示す。
【０１０６】
図１６および１７の比較からわかるように、エンクロージャーアセンブリ内の電磁場の強さは、広範囲の非常に高い周波数において約−７０ｄＢにおいて減少する。これは、非常に効果的な遮蔽をもたらす。